(57)【要約】【課題】標準的でない聴取環境下で聴取者が高い臨場感を味わうことができるように、マルチチャンネル音声の出力を制御する音響信号処理装置を実現する。【解決手段】音響信号処理装置（１０）は、メタ情報を取得するデコーダ部（１０１）に加えて、制御部（１０３）を備えている。制御部（１０３）は、メタ情報を参照して、自装置に接続されていないスピーカが本来出力すべきあるチャンネルの音声を代わりに出力すべき代替スピーカを特定し、該あるチャンネルの音声を代替スピーカに出力させる。【選択図】図１
2018125883.tif 000002
【特許請求の範囲】
【請求項１】
メタ情報を取得する取得手段を備え、
上記メタ情報は、複数のチャンネルの各々について、対象チャンネルのスピーカが標準位置に配置されていない聴取環境と、自装置に接続された該スピーカが該標準位置に配置され、且つ、上記複数のチャンネルに対応する複数のスピーカ以外の別のスピーカが自装置に接続されている聴取環境との一方または両方における、対象チャンネルの音声を出力すべき対象スピーカを特定するための情報であり、
上記メタ情報を参照することで上記対象スピーカを特定し、該対象スピーカに上記対象チャンネルの音声を出力させる音声出力制御手段を備えている、ことを特徴とする音声出力制御装置。
【請求項２】
上記メタ情報は、複数のチャンネルの各々について、対象チャンネルのスピーカが標準位置に配置されていない聴取環境における、対象チャンネルの音声を出力すべき対象スピーカを特定するための情報であり、
上記対象スピーカは、上記対象チャンネルとは異なるチャンネルのスピーカであり、
上記音声出力制御手段は、自装置に接続されている全スピーカの位置を示す位置情報を参照することで、あるチャンネルのスピーカが標準位置に配置されていないことを検出した場合に、上記対象スピーカに該あるチャンネルの音声を出力させる、ことを特徴とする、請求項１に記載の音声出力制御装置。
【請求項３】
上記対象スピーカの台数はたかだか１台であり、
上記メタ情報には、上記対象スピーカに対応するチャンネルを識別するための情報が含まれている、ことを特徴とする請求項２に記載の音声出力制御装置。
【請求項４】
上記音声出力制御手段は、上記対象チャンネルの音声を示す音声信号の信号レベルを調整するようになっており、
上記メタ情報には、上記信号レベルを調整するためのゲイン係数が含まれている、ことを特徴とする請求項３に記載に音声出力制御装置。
【請求項５】
上記音声出力制御手段は、特定のエリア内の全スピーカに上記対象チャンネルの音声を出力させるように構成され、
上記メタ情報には、上記特定のエリアを規定する情報が含まれている、ことを特徴とする請求項２に記載の音声出力制御装置。
【請求項６】
上記音声出力制御手段は、自装置に接続されている全スピーカに上記対象チャンネルの音声を出力させるように構成され、
上記メタ情報には、上記全スピーカに上記対象チャンネルの音声を出力させるべき旨の情報が含まれている、ことを特徴とする請求項２に記載の音声出力制御装置。
【請求項７】
メタ情報を取得する取得ステップを含み、
上記メタ情報は、複数のチャンネルの各々について、対象チャンネルのスピーカが標準位置に配置されていない聴取環境と、自装置に接続された該スピーカが該標準位置に配置され、且つ、上記複数のチャンネルに対応する複数のスピーカ以外の別のスピーカが自装置に接続されている聴取環境との一方または両方における、対象チャンネルの音声を出力すべき対象スピーカを特定するための情報であり、
上記メタ情報を参照することで上記対象スピーカを特定し、該対象スピーカに上記対象チャンネルの音声を出力させる音声出力制御ステップを含んでいる、ことを特徴とする音声出力制御方法。
【発明の詳細な説明】
【技術分野】
【０００１】
本発明は、主に、マルチチャンネル音声の出力を制御する音声出力制御装置および音声出力制御方法に関する。
【背景技術】
【０００２】
スーパーハイビジョン放送（８Ｋ放送）の実現に向けた研究開発および標準化作業が進められている。
【０００３】
８Ｋ放送の番組の音声は三次元マルチチャンネル（２２．２チャンネル）で構成されるため、例えば、映画の番組の視聴者は、映画に登場する場所に自身が居合わせているかのような臨場感を味わうことができる。
【０００４】
非特許文献１には、三次元マルチチャンネル音響方式の標準規格が示されている。非特許文献１の“２．１．２  スピーカの標準配置”および“２．４  音響チャンネルの割当て”に記載されているように、三次元マルチチャンネル音響方式では、音声の出力に使用される２４個のスピーカ（非特許文献１の表２−１参照）の各々の標準位置が規定されている。２４個のスピーカが各々の標準位置に設置されている場合に、映画の番組の視聴者は、その映画の制作者が想定するレベルの臨場感を味わうことができる。
【先行技術文献】
【非特許文献】
【０００５】
【非特許文献１】ＡＲＩＢ  ＳＴＤ−Ｂ５９  １．０版，（２０１４年３月発行）  三次元マルチチャンネル音響方式スタジオ規格標準規格
【発明の概要】
【発明が解決しようとする課題】
【０００６】
しかしながら、標準的な聴取環境が整えられていない場合（例えば、上記２４個のスピーカのうちの一部のスピーカが用意されなかった場合）、視聴者が味わう臨場感が著しく低下してしまい得る。
【０００７】
本発明は、上記課題に鑑みて成されたものであり、その主な目的は、標準的でない聴取環境下で聴取者が高い臨場感を味わうことができるように、マルチチャンネル音声の出力を制御する音声出力制御装置および音声出力制御方法を実現することにある。
【課題を解決するための手段】
【０００８】
上記の課題を解決するために、本発明の態様１に係る音声出力制御装置は、メタ情報を取得する取得手段を備え、上記メタ情報は、複数のチャンネルの各々について、対象チャンネルのスピーカが標準位置に配置されていない聴取環境と、自装置に接続された該スピーカが該標準位置に配置され、且つ、上記複数のチャンネルに対応する複数のスピーカ以外の別のスピーカが自装置に接続されている聴取環境との一方または両方における、対象チャンネルの音声を出力すべき対象スピーカを特定するための情報であり、上記メタ情報を参照することで上記対象スピーカを特定し、該対象スピーカに上記対象チャンネルの音声を出力させる音声出力制御手段を備えている。
【０００９】
上記の構成によれば、上記メタ情報が、標準的でない聴取環境でマルチチャンネル音響信号が再生されることを想定したマルチチャンネル音響信号の制作者によって作成されるものである場合、上記音声出力制御装置は、そのような聴取環境下において聴取者が高い
臨場感を味わうことができるように、マルチチャンネル音声の出力を制御できる、という効果を奏する。
【００１０】
本発明の態様２に係る音声出力制御装置は、上記態様１において、上記メタ情報が、複数のチャンネルの各々について、対象チャンネルのスピーカが標準位置に配置されていない聴取環境における、対象チャンネルの音声を出力すべき対象スピーカを特定するための情報であり、上記対象スピーカは、上記対象チャンネルとは異なるチャンネルのスピーカであり、上記音声出力制御手段は、自装置に接続されている全スピーカの位置を示す位置情報を参照することで、あるチャンネルのスピーカが標準位置に配置されていないことを検出した場合に、上記対象スピーカに該あるチャンネルの音声を出力させてもよい。
【００１１】
上記の構成によれば、上記メタ情報が、上記各チャンネルのスピーカのうちの一部のスピーカを用意されていない聴取環境でマルチチャンネル音響信号が再生されることを想定したマルチチャンネル音響信号の制作者によって作成されるものである場合、上記音声出力制御装置は、そのような視聴環境下において聴取者が高い臨場感を味わうことができるように、マルチチャンネル音声の出力を制御できる、という更なる効果を奏する。
【００１２】
本発明の態様３に係る音声出力制御装置は、上記態様２において、上記対象スピーカの台数はたかだか１台であり、上記メタ情報には、上記対象スピーカに対応するチャンネルを識別するための情報が含まれていてもよい。
【００１３】
上記の構成によれば、上記音声出力制御装置は、あるチャンネルのスピーカが自装置に接続されていない場合、そのチャンネルのスピーカから本来出力されるべき音声を、たかだか１台の代替スピーカに出力させることができる。
【００１４】
従って、上記音声出力制御装置は、聴取者に、違和感を与えることなく、特定の人物の声のような一点から聞こえるべき音を聞かせることができる、という更なる効果を奏する。
【００１５】
本発明の態様４に係る音声出力制御装置は、上記態様３において、上記音声出力制御手段が、上記対象チャンネルの音声を示す音声信号の信号レベルを調整するようになっており、上記メタ情報には、上記信号レベルを調整するためのゲイン係数が含まれていてもよい。
【００１６】
上記の構成によれば、上記音声出力制御装置は、より高い臨場感を聴取者に味わわせることができる、という更なる効果を奏する。
【００１７】
本発明の態様５に係る音声出力制御装置は、上記態様２において、上記音声出力制御手段が、特定のエリア内の全スピーカに上記対象チャンネルの音声を出力させるように構成され、上記メタ情報には、上記特定のエリアを規定する情報が含まれていてもよい。
【００１８】
上記の構成によれば、上記対象チャンネルの音声および上記特定のエリア内の各スピーカが出力する音声が上記特定のエリア（例えば、トップ層）全体から大きな音量で聴取者に聞こえるべき内容の音声（例えば、雷の音）である場合に、上記音声出力制御装置は、上記聴取者にそのように聞こえるように上記音声を出力できる、という更なる効果を奏する。
【００１９】
本発明の態様６に係る音声出力制御装置は、上記態様２において、上記音声出力制御手段が、自装置に接続されている全スピーカに上記対象チャンネルの音声を出力させるように構成され、上記メタ情報には、上記全スピーカに上記対象チャンネルの音声を出力させ
るべき旨の情報が含まれていてもよい。
【００２０】
上記の構成によれば、上記対象チャンネルの音声および他の各チャンネルの音声が全方向から聴取者に大きな音量で聞こえるべき内容の音声（例えば、傘をさしている時に地面および傘に叩き付ける激しい雨の音）である場合に、上記音声出力制御装置は、上記聴取者にそのように聞こえるように上記音声を出力できる、という更なる効果を奏する。
【００２１】
上記の課題を解決するために、本発明の態様７に係る音声出力制御方法は、メタ情報を取得する取得ステップを含み、上記メタ情報は、複数のチャンネルの各々について、対象チャンネルのスピーカが標準位置に配置されていない聴取環境と、自装置に接続された該スピーカが該標準位置に配置され、且つ、上記複数のチャンネルに対応する複数のスピーカ以外の別のスピーカが自装置に接続されている聴取環境との一方または両方における、対象チャンネルの音声を出力すべき対象スピーカを特定するための情報であり、上記メタ情報を参照することで上記対象スピーカを特定し、該対象スピーカに上記対象チャンネルの音声を出力させる音声出力制御ステップを含んでいる。
【００２２】
上記の構成によれば、上記音声出力制御方法は、上記態様１に係る音声出力制御装置と同様の作用効果を奏する。
【発明の効果】
【００２３】
本発明の一態様に係る音声出力制御装置および音声出力制御方法は、標準的でない聴取環境下で聴取者が高い臨場感を味わうことができるように、マルチチャンネル音声の出力を制御できる、という効果を奏する。
【図面の簡単な説明】
【００２４】
【図１】本発明の各実施形態に係る音響信号処理装置の要部構成を概略的に示したブロック図である。
【図２】三次元マルチチャンネル音響方式における２４個のスピーカの標準配置について説明するための図である。
【図３】三次元マルチチャンネル音響方式における２４個のスピーカの標準配置について説明するための別の図である。
【図４】三次元マルチチャンネル音響方式における、２４個の音響チャンネルの各々について、該音響チャンネルとチャンネル番号との対応関係を示した図である。
【図５】実施形態１におけるトップ層のスピーカの位置を示した図である。
【図６】２２．２チャンネル音響信号のメタ情報に含まれる属性情報について説明するための図である。
【図７】実施形態１に関する図であり、音響信号処理装置に接続されている全スピーカの位置を示す位置情報を含む配置情報を例示した図である。
【図８】実施形態２におけるミドル層のスピーカの位置を示した図である。
【図９】実施形態２に関する図であり、音響信号処理装置に接続されている全スピーカの位置を示す位置情報を含む配置情報を例示した図である。
【発明を実施するための形態】
【００２５】
〔実施形態１〕
本発明の一実施形態に係る音響信号処理装置について図面を参照しながら以下に説明する。
【００２６】
（本実施形態に係る音響信号処理装置の概要）
本実施形態に係る音響信号処理装置（以下、「音響信号処理装置」と称する）は、三次元マルチチャンネル音響方式に対応した音響信号処理装置である。
【００２７】
音響信号処理装置は、テレビ受信機（図示せず）に内蔵されており、テレビ受信機のチューナが受信したマルチチャンネル音響信号を処理するようになっている。
【００２８】
音響信号処理装置は、マルチチャンネル音響方式において規定される２４個の音響チャンネルの各々について、該音響チャンネルの音声信号を出力するための音声出力端子（図示せず）を備えている。音響信号処理装置は、これら２４個の音声出力端子の各々を介して、対応するチャンネルのスピーカを接続できるようになっている。
【００２９】
また、音響信号処理装置は、追加のスピーカを接続するための音声出力端子として、これら２４個の音声出力端子とは別個の音声出力端子（Ａ個の音声出力端子）を備えている。
【００３０】
本実施形態では、上記別個の音声出力端子にスピーカが接続されていないが、更に、上記２４個の音声出力端子のうちの一部の音声出力端子にもスピーカが接続されていない。音響信号処理装置には、このような標準的でない聴取環境下におけるマルチチャンネル音響信号の処理に特徴があるが、この特徴については後に詳細に説明する。
【００３１】
（音響信号処理装置の構成）
次に、音響信号処理装置の構成について図１を参照しながら説明する。
【００３２】
図１は、音響信号処理装置１０の要部構成を概略的に示したブロック図である。図１の（ａ）は、音響信号処理装置１０の要部構成を概略的に示しており、図１の（ｂ）は、図１の（ａ）における音響信号処理装置１０の一部分（破線円の内部）を詳細に示した図である。
【００３３】
図１に示すように、音響信号処理装置１０は、デコーダ部１０１、記憶部１０２、制御部１０３、複数の可変ゲイン部１０４、及び、メインアンプ部１０５を備えている。
【００３４】
デコーダ部１０１は、入力されるマルチチャンネル音響信号から２２．２チャンネルの音声信号をデコードし、後段の２４本の信号線（以下、「第１信号線」と称する）の各々に、対応する音声信号を供給する。図１を見るとわかるように、この２４本の第１信号線の各々は、メインアンプ部１０５を経由して音声出力端子まで伸びている２４＋Ａ本の信号線（以下、「第２信号線」と称する）と可変ゲイン部１０４を介して接続されている。
【００３５】
また、デコーダ部１０１（取得手段）は、マルチチャンネル音響信号が入力されている間に非周期的に送られてくるメタ情報を制御部１０３に供給する。このメタ情報は、標準的でない聴取環境でマルチチャンネル音響信号が再生されることを想定したマルチチャンネル音響信号の制作者によって作成されるものである。
【００３６】
具体的には、このメタ情報は、２２．２チャンネルの各チャンネルについて、対象チャンネルのスピーカがその標準位置に配置されていない聴取環境と、音響信号処理装置１０に接続された該スピーカが該標準位置に配置され、且つ、２４個のチャンネルに対応する２４個のスピーカ以外のスピーカが音響信号処理装置１０に接続されている聴取環境との両方における、対象チャンネルの音声を出力すべき対象スピーカを特定するための情報である。メタ情報の詳細については、後述する。
【００３７】
記憶部１０２は、配置情報が格納されている記録媒体である。配置情報には、マルチチャンネル音響方式において規定される各音響チャンネルのスピーカの標準位置を示す標準位置情報と、音響信号処理装置１０に接続されている全スピーカの位置を示す実位置情報
（位置情報）と、が含まれている。この実位置情報は、操作受付部（図示せず）が受け付けるユーザ操作の内容に基づいて更新される。
【００３８】
制御部１０３は、図示はしていないが、各可変ゲイン部１０４に接続されている。
【００３９】
制御部１０３は、標準位置情報と実位置情報とを比較することによって、各音響チャンネルについて該音響チャンネルのスピーカが標準位置に設置された状態で音響信号処理装置１０に接続されているか否か、及び、追加のスピーカが音響信号処理装置１０に接続されているか否かを検出する。
【００４０】
制御部１０３は、対応するスピーカが音響信号処理装置１０に接続されていない（あるいは、対応するスピーカが標準位置に設置されていない）音響チャンネルについては、その音響チャンネル（対象チャンネル）の音声を出力すべき他のチャンネルのスピーカ（対象スピーカ）を、メタ情報を参照することにより特定する。
【００４１】
制御部１０３は、追加のスピーカが音響信号処理装置１０に接続されている場合、対応するスピーカが標準位置に設置された状態で音響信号処理装置１０に接続されている音響チャンネルについて、必要に応じて以下の処理を行う。即ち、制御部１０３は、該スピーカ（該音響チャンネルの音声を出力すべき対象スピーカ）とともに、該音響チャンネル（対象チャンネル）の音声（本実施形態では移動音）を出力すべき他の対象スピーカを、メタ情報と実位置情報とを参照することにより特定する。
【００４２】
制御部１０３は、対象チャンネルの音声を対象スピーカに出力させるために制御対象の可変ゲイン部１０４を制御する。ここでの「制御対象の可変ゲイン部１０４」とは、対象チャンネルに対応する第１信号線と、対象スピーカが接続されている音声出力端子まで伸びている第２信号線とを結ぶ可変ゲイン部１０４である。
【００４３】
各可変ゲイン部１０４は、音声信号の信号レベルを調整する機能を備えている。
【００４４】
ある音響チャンネルに対応する第１信号線と、該ある音響チャンネルに対応していない第２信号線と、を結ぶ位置にある可変ゲイン部１０４は、デフォルトでは、音声信号の信号レベルを０に調整する。
【００４５】
また、ある音響チャンネルに対応する第１信号線と、該ある音響チャンネルに対応する第２信号線と、を結ぶ位置にある可変ゲイン部１０４は、デフォルトでは、音声信号の信号レベルを調整することなく、そのまま音声信号を第２信号線に供給する。
【００４６】
また、制御部１０３による制御対象の可変ゲイン部１０４は、制御部１０３からの制御に応じた信号レベルの音声信号を第２信号線に供給する。なお、制御部１０３からの制御に応じた信号レベルについては、後述する。
【００４７】
メインアンプ部１０５は、一般的な公知のメインアンプである。
【００４８】
（音響信号処理装置１０に接続されているスピーカについて）
音響信号処理装置１０に接続されているスピーカについて図２〜図５を参照しながら以下に説明する。
【００４９】
図２及び図３は、三次元マルチチャンネル音響方式における２４個のスピーカの標準配置について説明するための図である。図４は、三次元マルチチャンネル音響方式における、２４個の音響チャンネルの各々について、該音響チャンネルとチャンネル番号との対応
関係を示した図である。また、図５は、本実施形態における、トップ層のスピーカの位置を示した図である。
【００５０】
マルチチャンネル音響方式の規定では、理想的には、２４個のスピーカが、視聴者の頭部の位置（標準聴取位置）を中心とする球面状の領域に配置される。具体的には、図３の（ａ）の１０個のスピーカ（スピーカＦＣ、スピーカＦＬc、スピーカＦＬ、スピーカＳ
ｉＬ、スピーカＢＬ、スピーカＢＣ、スピーカＢＲ、スピーカＳｉＲ、スピーカＦＲ、及び、スピーカＦＲｃ）が視聴者の頭部の高さに位置する図２のミドル層に配置され、図３の（ｂ）の９個のスピーカ（スピーカＴｐＦＣ、スピーカＴｐＦＬ、スピーカＴｐＳｉＬ、スピーカＴｐＢＬ、スピーカＴｐＢＣ、スピーカＴｐＢＲ、スピーカＴｐＳｉＲ、スピーカＴｐＦＲ、及び、スピーカＴｐＣ）が視聴者の頭部の上方に位置する図２のトップ層に配置され、図３の（ｃ）の５個のスピーカ（スピーカＢｔＦＣ、スピーカＢｔＦＬ、スピーカＢｔＦＲ、スピーカＬＦＥ１、及び、スピーカＬＦＥ２）が視聴者の足元の高さに位置する図２のボトム層に配置される。
【００５１】
また、図３の２４個のスピーカの各々が出力すべき音声のチャンネルのチャンネル番号が図４に示すように規定されている。この規定により、例えば、標準聴取位置の正面前方０°の方向にあるスピーカＦＣは、チャンネル番号３に対応する音響チャンネルの音声を出力するようになっている。
【００５２】
図５に示すように、本実施形態では、標準位置にある２３個のスピーカ（２４個のスピーカのうちトップ層のスピーカＴｐＳｉＲを除く２３個のスピーカ）が音響信号処理装置１０に接続されているが、音響信号処理装置１０に接続されるべきスピーカＴｐＳｉＲが用意されていないものとする。
【００５３】
（メタ情報の詳細について）
２２．２チャンネル音響信号のメタ情報の詳細について、図６を参照しながら説明する。図６は、メタ情報に含まれる属性情報について説明するための図である。
【００５４】
メタ情報は、２２．２チャンネル音響信号の制作者によって作成され、２２．２チャンネル音響信号とともに、テレビ受信機に送信される。
【００５５】
メタ情報には、２４個の音響チャンネルの各々について、該音響チャンネルに関する属性情報が含まれている。
【００５６】
図６に示すように、本実施形態では、属性情報が４バイトで構成されている。以下、属性情報を構成する各バイトの値の意味について説明するが、本発明において、属性情報のデータサイズには特に制限はないことを予め述べておく。
【００５７】
（１バイト目の値について）
音響チャンネルに関する属性情報の１バイト目の値は、標準位置（該音響チャンネルのスピーカの標準位置）の該スピーカが音響信号処理装置１０に接続されている聴取環境と該標準位置の該スピーカが音響信号処理装置１０に接続されていない聴取環境との両方における、音響信号処理装置１０が該音響チャンネルの音声をどのように処理すべきかを示す値である。
【００５８】
音響チャンネルに関する属性情報の１バイト目の値が“１”であることは、標準位置のスピーカが音響信号処理装置１０に接続されていない聴取環境において、該音響チャンネルの音声を、他の１つのチャンネル（代替チャンネル）に対応するスピーカ（代替スピーカ）に出力させるべきことを示している。
【００５９】
音響チャンネルに関する属性情報の１バイト目の値が“２”であることは、標準位置のスピーカが音響信号処理装置１０に接続されていない聴取環境において、該音響チャンネルの音声を、指定されたエリア内の全スピーカに出力させるべきことを示している。
【００６０】
音響チャンネルに関する属性情報の１バイト目の値が“３”であることは、標準位置のスピーカが音響信号処理装置１０に接続されている聴取環境において、「特定の位置に追加のスピーカが配置されている場合、該音響チャンネルのスピーカと他の音響チャンネルのスピーカとを用いて表現される移動音を、該追加のスピーカに表現させるべき」ことを示している。ここで、該音響チャンネルのスピーカは、音源の移動元のスピーカであり、該他の音響チャンネルのスピーカは、音源の移動先のスピーカである。また、上記特定の位置とは、これら２つのスピーカを結ぶ線分上の任意の位置である。
【００６１】
（２バイト目以降の値について）
図６に示すように、音響チャンネルに関する属性情報の１バイト目の値が“１”である場合における２バイト目の値は、４バイト目に格納される係数（ゲイン係数）の型を示しており、該１バイト目の値が“１”である場合における３バイト目の値は、該音響チャンネルの音声を出力すべき代替スピーカに対応するチャンネル（代替チャンネル）のチャンネル番号を示している。４バイト目に格納される係数（ゲイン係数）は、代替スピーカが出力する該音響チャンネルの音声の信号レベルをどの程度に調整すべきかを示す値であり、該係数が小さいほど、可変ゲイン部１０４によって該信号レベルが低くされる。なお、３バイト目のチャンネル番号が“０”であることは、音響信号処理装置１０に接続されているどのスピーカからも、該当する音響チャンネルの音声を出力させるべきでないことを示している。
【００６２】
音響チャンネルに関する属性情報の１バイト目の値が“２”である場合において２バイト目の値が“１”であることは、該音響チャンネルの音声を、３バイト目のチャンネル番号に対応するスピーカを中心とする特定のエリア内の全スピーカに出力させるべきことを示している。ここで、該特定のエリア内のスピーカとは、自機と標準聴取位置とを結ぶ線分と、３バイト目のチャンネル番号に対応するスピーカと標準聴取位置とを結ぶ線分と、が成す角度が４バイト目の定位角度係数が示す角度以下になるような位置にあるスピーカである。なお、３バイト目のチャンネル番号が“０”であることは、音響信号処理装置１０に接続されている全スピーカから、該当する音響チャンネルの音声を出力させるべきことを示している。
【００６３】
音響チャンネルに関する属性情報の１バイト目の値が“３”である場合における２バイト目の値は、３バイト目（又は、３バイト目と４バイト目）の意味を規定する値である。
【００６４】
具体的には、該２バイト目の値が“１”であることは、３バイト目に音源の移動方向を規定する情報（具体的には、音源の移動先のスピーカに対応するチャンネル番号）が含まれていることを示している。また、該２バイト目の値が“２”であることは、３バイト目に音源の移動方向を規定する情報が含まれており、４バイト目に音源の移動時間を示す情報が含まれていることを示している。
【００６５】
また、該２バイト目の値が“３”であることは、以下のことを示している。
・３バイト目の上位２ビットが、上記特定の位置に配置されている追加のスピーカによる移動音の出力レベルの時間変化を示す関数に応じた値であること。具体的には、３バイト目の上位２ビットの値が“００”であることが、上記関数がサイン関数であることを示しており、３バイト目の上位２ビットの値が“０１”であることが、上記関数が三角波関数であることを示していること。
・３バイト目の下位６ビットに、音源の移動方向を規定する情報が含まれていること。
・４バイト目に音源の移動時間を示す情報が含まれていること。
【００６６】
（配置情報の詳細について）
本実施形態における配置情報の詳細について、図７を参照しながら説明する。図７は、配置情報を例示した図である。
【００６７】
図７に示すように、配置情報は、音響チャンネル毎に、該音響チャンネルのスピーカの実際の位置を示す座標値と、該音響チャンネルのチャンネル番号と、該音響チャンネルのスピーカの標準位置を示す座標値とが関連付けられた情報である。
【００６８】
各スピーカの実際の位置を示す座標値、及び、各スピーカの標準位置を示す座標値は、聴取位置を原点Ｏとする空間座標系であって、聴取位置からｘ軸正方向に１メートル進んだ位置の座標値が（１，０，０）であり、聴取位置からｙ軸正方向に１メートル進んだ位置の座標値が（０，１，０）であり、聴取位置からｚ軸正方向に１メートル進んだ位置の座標値が（０，０，１）であるような空間座標系における、座標値である。
【００６９】
なお、図７に示すように、配置情報は、スピーカの実際の位置を示す座標値の代わりに、ヌル値を含み得る。このヌル値は、対応する音響チャンネル（チャンネル番号２０の音響チャンネル）のスピーカが音響信号処理装置１０に接続されていないことを示している。
【００７０】
また、図７からわかるように、本実施形態における配置情報は、音響信号処理装置１０に接続されている全２３個のスピーカが標準位置に配置されていることを示している。
【００７１】
（音響信号処理装置の動作例１）
チャンネル番号２０の音響チャンネルに関する属性情報の１バイト目、２バイト目、３バイト目、及び４バイト目がそれぞれ“１”、“１”、“１４”、“０．９”であるようなメタ情報を取得した音響信号処理装置１０が、該音響チャンネルの音声出力を制御する動作について説明する。
【００７２】
まず、デコーダ部１０１は、取得したメタ情報を制御部１０３に供給する。
【００７３】
制御部１０３は、記憶部１０２の配置情報を参照することにより、チャンネル番号２０に対応するスピーカが音響信号処理装置１０に接続されていないことを検出する。そして、制御部１０３は、チャンネル番号２０の音声を出力すべき他のチャンネルのスピーカがチャンネル番号１４のスピーカＴｐＦＲであることを、チャンネル番号２０の音響チャンネルに関する属性情報の３バイト目を参照することにより特定する。
【００７４】
さらに、制御部１０３は、属性情報の４バイト目の係数を参照し、チャンネル番号２０の音声をスピーカＴｐＦＲに出力させるために、対象の可変ゲイン部１０４を制御する。具体的には、制御部１０３は、対象の可変ゲイン部１０４に対し、該可変ゲイン部１０４が出力するチャンネル番号２０の音声信号の振幅が該可変ゲイン部１０４に入力されるチャンネル番号２０の音声信号の振幅の係数倍になるように、チャンネル番号２０の音声信号の信号レベルを調整させる。
【００７５】
また、制御部１０３は、チャンネル番号２０に対応する第１信号線と、チャンネル番号２０に対応する音声出力端子まで伸びている第２信号線とを結ぶ可変ゲイン部１０４に対し、該可変ゲイン部１０４が出力するチャンネル番号２０の音声信号の振幅が０となるように、チャンネル番号２０の音声信号の信号レベルを調整させる。
【００７６】
以上のようにして、チャンネル番号２０に対応するスピーカが音響信号処理装置１０に接続されていない場合、音響信号処理装置１０は、制作者の意図通りに、チャンネル番号１４に対応する音声だけでなく、チャンネル番号２０に対応する音声（例えば、特定の人物の声や鳥のさえずり）をスピーカＴｐＦＲ（即ち、上方の一点）から出力する。
【００７７】
（音響信号処理装置の動作例２）
チャンネル番号２０の音響チャンネルに関する属性情報の１バイト目、２バイト目、３バイト目、及び４バイト目がそれぞれ“２”、“１”、“１６”、“６０”であるようなメタ情報を取得した音響信号処理装置１０が、該音響チャンネルの音声出力（背景音の音声出力）を制御する動作について説明する。
【００７８】
まず、デコーダ部１０１は、取得したメタ情報を制御部１０３に供給する。
【００７９】
制御部１０３は、記憶部１０２の配置情報を参照することにより、チャンネル番号２０に対応するスピーカが音響信号処理装置１０に接続されていないことを検出する。そして、制御部１０３は、チャンネル番号２０の音声を出力すべき他のチャンネルのスピーカとして、チャンネル番号２０の音響チャンネルに関する属性情報の３バイト目および４バイト目によって指定された特定のエリア内の全スピーカ（即ち、図５に示すトップ層の８つのスピーカ）を選択する。
【００８０】
さらに、制御部１０３は、チャンネル番号２０の音声を特定のエリアの中心部に位置するスピーカＴｐＣに出力させるために、対象の可変ゲイン部１０４を制御する。具体的には、制御部１０３は、対象の可変ゲイン部１０４に対し、チャンネル番号２０の音声信号の振幅を調整することなく、該音声信号を第２信号線に供給させる。
【００８１】
同様に、制御部１０３は、チャンネル番号２０の音声を特定のエリアの周辺部に位置する７つのスピーカに出力させるために、該７つの各々のスピーカについて、チャンネル番号２０に対応する第１信号線と、対象のスピーカが接続されている音声出力端子まで伸びている第２信号線とを結ぶ可変ゲイン部１０４を制御する。
【００８２】
具体的には、制御部１０３は、対象の可変ゲイン部１０４に対し、該可変ゲイン部１０４が出力するチャンネル番号２０の音声信号の信号レベルがＬとなるように、チャンネル番号２０の音声信号の信号レベルを調整させる。ここで、Ｌは以下の式により表されるが、以下の式におけるＬcは、スピーカＴｐＣが接続されている音声出力端子まで伸びてい
る第２信号線上を流れる音声信号の信号レベルであって、メインアンプ部１０５によって制御される前の信号レベルである。
【００８３】
【数１】
2018125883.tif 000003
【００８４】
また、上記の式におけるαは、チャンネル番号２０の音響チャンネルに関する属性情報の４バイト目の値をラジアンに変換した値であり、上記の式におけるθは、対象のスピーカと標準聴取位置とを結ぶ線分と、スピーカＴｐＣと標準聴取位置とを結ぶ線分と、が成す角度（単位：ラジアン）である。
【００８５】
以上のようにして、チャンネル番号２０に対応するスピーカが音響信号処理装置１０に接続されていない場合、音響信号処理装置１０は、制作者の意図通りに、トップ層の各ス
ピーカ（即ち、上方の広い範囲）から、該スピーカに対応するチャンネルの音声だけでなく、チャンネル番号２０に対応する音声（例えば、雷の音）を出力する。
【００８６】
（音響信号処理装置１０の利点）
以上の実施形態１の説明から以下のことが言える。
【００８７】
音響信号処理装置１０（音声出力制御装置）は、メタ情報を取得するデコーダ部１０１（取得手段）を備えている。
【００８８】
上記メタ情報は、２２．２チャンネルの各チャンネルについて、対象チャンネルのスピーカがその標準位置に配置されていない聴取環境と、音響信号処理装置１０に接続された該スピーカが該標準位置に配置され、且つ、２４個のチャンネルに対応する２４個のスピーカ以外のスピーカが音響信号処理装置１０に接続されている聴取環境との両方における、対象チャンネルの音声を出力すべき対象スピーカを特定するための情報である。
【００８９】
また、音響信号処理装置１０は、制御部１０３を備えている。制御部１０３（音声出力制御手段）は、上記メタ情報を参照することで上記対象スピーカ（前述の動作例１では、スピーカＴｐＦＲ）を特定し、該対象スピーカに上記対象チャンネルの音声（前述の動作例１では、対応するスピーカが音響信号処理装置１０に接続されていないチャンネル番号２０の音声）を出力させる。
【００９０】
前述のように、上記メタ情報は、標準的でない聴取環境（例えば、実施形態１のように、スピーカＴｐＳｉＲが用意されていない聴取環境）でマルチチャンネル音響信号が再生されることを想定したマルチチャンネル音響信号の制作者によって作成されるものである。
【００９１】
従って、音響信号処理装置１０は、標準的でない視聴環境下において聴取者が高い臨場感を味わうことができるように、マルチチャンネル音声の出力を制御できる、と言える。
【００９２】
（実施形態１の付記事項）
動作例２のように、用意されていないスピーカに対応するチャンネルの音声を特定のエリア内の全スピーカに出力させる場合、特定のエリアの中心をチャンネル番号によって規定するのではなく、標準聴取位置から見た特定のエリアの中心の方向を示すベクトル（image_center_vector）によって指定してもよい。
【００９３】
この場合、このベクトルを示す値は、属性情報の３バイト目に格納されてもよい。例えば、属性情報の上位２ビットが"00"であり、次の２ビットがこのベクトルのｘ成分の値（“０”、“１”、“−１”のいずれかの値）を表し、次の２ビットがこのベクトルのｙ成分の値（“０”、“１”、“−１”のいずれかの値）を表し、末尾の２ビットがこのベクトルのｚ成分の値（“０”、“１”、“−１”のいずれかの値）を表してもよい。
【００９４】
また、この場合における属性情報の１バイト目および２バイト目の値は“２”であり、４バイト目は、定位角度係数を示す値であってもよい。
【００９５】
なお、この場合における特定のエリア内のスピーカとは、上記のベクトル（image_center_vector）と、標準聴取位置を始点とし、自機の位置を終点とするベクトルと、が成す
角度が４バイト目の定位角度係数が示す角度以下になるような位置にあるスピーカである。
【００９６】
また、標準聴取位置から見た特定のエリアの中心の方向を示すベクトルの値を格納する
ために用いられるバイト数は多い方が望ましい。例えば、該ベクトルのｘ成分の値、ｙ成分の値、及び、ｚ成分の値を、それぞれ、８ビットで表現することが望ましい。上記特定のエリアを柔軟に設定できるためである。
【００９７】
〔実施形態２〕
以下、更に図８および図９を参照して、本発明の別の一実施形態に係る音響信号処理装置について説明する。図８は、本実施形態におけるミドル層のスピーカの位置を示した図である。また、図９は、本実施形態に係る音響信号処理装置に接続されている全スピーカの位置を示す位置情報を含む配置情報を例示した図である。なお、説明の便宜上、実施形態１にて説明した部材と同じ機能を有する部材については、基本的に、同じ符号を付記した上でその説明を省略する。
【００９８】
（本実施形態に係る音響信号処理装置の概要）
本実施形態に係る音響信号処理装置は、実施形態１に係る音響信号処理装置と同様のものであるが、接続されているスピーカシステムの構成が異なっている。
【００９９】
即ち、本実施形態では、２４個の音声出力端子の全てに、対応するチャンネルのスピーカが接続されており、更に、これら２４個の音声出力端子とは別個の音声出力端子（Ａ個の音声出力端子）のうちの１つに追加のスピーカが接続されている。
【０１００】
追加のスピーカ２０は、図８に示すように、スピーカＢＬが設置されている位置とスピーカＢＲが設置されている位置との間の中間地点に配置されている。
【０１０１】
（音響信号処理装置の構成）
本実施形態に係る音響信号処理装置１０の構成は、実施形態１に係る音響信号処理装置の構成と全く同じであるので、本実施形態に係る音響信号処理装置１０の構成の説明は省略する。
【０１０２】
（メタ情報について）
本実施形態に係る音響信号処理装置１０は、実施形態１に係る音響信号処理装置１０と同様に、マルチチャンネル音響信号とともに、メタ情報を取得する。
【０１０３】
このメタ情報は、実施形態１で説明したメタ情報と全く同じものであるので、メタ情報についての説明は省略する。
【０１０４】
（配置情報の詳細について）
本実施形態における配置情報の詳細について、図９を参照しながら説明する。図９は、配置情報を例示した図である。
【０１０５】
図９に示すように、本実施形態における配置情報は、実施形態１における配置情報と同様に、音響チャンネル毎に、該音響チャンネルのスピーカの実際の位置を示す座標値と、該音響チャンネルのチャンネル番号と、該音響チャンネルのスピーカの標準位置を示す座標値とが関連付けられた情報である。
【０１０６】
また、実施形態１の配置情報と同様に、各スピーカの実際の位置を示す座標値、及び、各スピーカの標準位置を示す座標値は、聴取位置を原点とする空間座標系であって、聴取位置からｘ軸正方向に１メートル進んだ位置の座標値が（１，０，０）であり、聴取位置からｙ軸正方向に１メートル進んだ位置の座標値が（０，１，０）であり、聴取位置からｚ軸正方向に１メートル進んだ位置の座標値が（０，０，１）であるような空間座標系における、座標値である。
【０１０７】
図９に示すように、本実施形態に係る配置情報には、２４個のチャンネルに対応する２４個のスピーカの位置を示す座標値に加え、追加のスピーカの位置を示す座標値が含まれている。図８に示すように、追加のスピーカの位置を示す座標値に関連付けて記録されるのは、音響チャンネルのチャンネル番号および該音響チャンネルのスピーカの標準位置を示す座標値ではなく、２つのヌル値である。
【０１０８】
（音響信号処理装置の動作例３）
チャンネル番号６の音響チャンネルに関する属性情報の１バイト目、２バイト目、３バイト目、及び４バイト目がそれぞれ“３”、“１”、“５”、“０”であるようなメタ情報を取得した音響信号処理装置１０が、チャンネル番号６および他のチャンネル番号のチャンネルを用いて表現される移動音の音声出力を制御する動作について説明する。
【０１０９】
まず、デコーダ部１０１は、取得したメタ情報を制御部１０３に供給する。
【０１１０】
制御部１０３は、上記属性情報の１バイト目を参照すると、記憶部１０２の配置情報を参照することにより、追加のスピーカ２０が音響信号処理装置１０に接続されていることを検出する。そして、制御部１０３は、上記属性情報の２バイト目および３バイト目を参照することにより、チャンネル番号５に対応するスピーカＢＬが音源の移動先のスピーカであることを特定する。
【０１１１】
更に、制御部１０３は、記憶部１０２の配置情報を参照することにより、音源の移動元のスピーカＢＲの位置と音源の移動先のスピーカＢＬの位置との間（本実施形態では、中間地点）に追加のスピーカ２０が配置されていることを検出し、これを以って、追加のスピーカ２０に上記移動音を出力させることを決定する。
【０１１２】
制御部１０３は、追加のスピーカ２０に上記移動音を出力させるために、以下の２つの可変ゲイン部１０４を制御する。
・チャンネル番号５に対応する第１信号線と、追加のスピーカ２０が接続されている音声出力端子まで伸びている第２信号線とを結ぶ可変ゲイン部１０４
・チャンネル番号６に対応する第１信号線と、追加のスピーカ２０が接続されている音声出力端子まで伸びている第２信号線とを結ぶ可変ゲイン部１０４
具体的には、制御部１０３は、上記２つの可変ゲイン部１０４の各々に対し、該可変ゲイン部１０４が出力する音声信号の信号レベルが１／２となるように、該音声信号の信号レベルを調整させる。
【０１１３】
以上のようにして、音源の移動元のスピーカＢＲの位置と音源の移動先のスピーカＢＬの位置との間に追加のスピーカ２０が配置されている場合、音響信号処理装置１０は、制作者の意図通りに、追加のスピーカ２０からも、移動音（チャンネル番号５およびチャンネル番号６に対応する音声）を出力する。
【０１１４】
（音響信号処理装置の動作例４）
チャンネル番号６の音響チャンネルに関する属性情報の１バイト目、２バイト目、３バイト目、及び４バイト目がそれぞれ“３”、“２”、“５”、“２０”であるようなメタ情報を取得した音響信号処理装置１０が、チャンネル番号６および他のチャンネル番号のチャンネルを用いて表現される移動音の音声出力を制御する動作について説明する。
【０１１５】
まず、デコーダ部１０１は、取得したメタ情報を制御部１０３に供給する。
【０１１６】
制御部１０３は、上記属性情報の１バイト目を参照すると、記憶部１０２の配置情報を
参照することにより、追加のスピーカ２０が音響信号処理装置１０に接続されていることを検出する。そして、制御部１０３は、上記属性情報の２バイト目および３バイト目を参照することにより、スピーカＢＬが音源の移動先のスピーカであることを特定し、上記属性情報の２バイト目および４バイト目を参照することにより、移動音の再生時間が２０×１００ミリ秒であることを特定する。
【０１１７】
更に、制御部１０３は、記憶部１０２の配置情報を参照することにより、音源の移動元のスピーカＢＲの位置と音源の移動先のスピーカＢＬの位置との間（本実施形態では、中間地点）に追加のスピーカ２０が配置されていることを検出し、これを以って、追加のスピーカ２０に上記移動音を出力させることを決定する。
【０１１８】
制御部１０３は、追加のスピーカ２０に上記移動音を出力させるために、以下の２つの可変ゲイン部１０４を制御する。
・チャンネル番号５に対応する第１信号線と、追加のスピーカ２０が接続されている音声出力端子まで伸びている第２信号線とを結ぶ可変ゲイン部１０４
・チャンネル番号６に対応する第１信号線と、追加のスピーカ２０が接続されている音声出力端子まで伸びている第２信号線とを結ぶ可変ゲイン部１０４
具体的には、制御部１０３は、上記２つの可変ゲイン部１０４の各々に対し、該可変ゲイン部１０４が出力する音声信号の信号レベルが経過時間ｔの関数Ｌ（ｔ）（０≦ｔ≦Ｔ）で表されるような信号レベルとなるように、該音声信号の信号レベルを調整させる。ここで、関数Ｌ（ｔ）は以下の各式により表されるが、以下の式において、Ｌhは、可変ゲ
イン部１０４に入力される音声信号の信号レベルの１／２であり、βはゲイン係数であり、Ｔは移動音の再生時間である。なお、経過時間tは、チャンネル番号６の音響チャンネ
ルに関する該属性情報が対応付けられた時間から計測するものとする。
【０１１９】
【数２】
2018125883.tif 000004
【０１２０】
【数３】
2018125883.tif 000005
【０１２１】
そして、制御部１０３は、移動音の再生時間が経過すると、上記２つの可変ゲイン部１０４の各々に対し、該可変ゲイン部１０４が出力する音声信号の信号レベルが０となるように、該音声信号の信号レベルを調整させる。
【０１２２】
以上のようにして、音源の移動元のスピーカＢＲの位置と音源の移動先のスピーカＢＬの位置との間に追加のスピーカ２０が配置されている場合、音響信号処理装置１０は、制作者の意図通りに、追加のスピーカ２０からも、移動音（チャンネル番号５およびチャンネル番号６に対応する音声）を出力する。
【０１２３】
なお、以上説明した動作例４は、追加のスピーカ２０が音源の移動元のスピーカＢＲと音源の移動先のスピーカＢＬとの中間に配置されている場合の動作例であるが、追加のスピーカ２０がスピーカＢＲとスピーカＢＬとの中間にない場合は、追加のスピーカ２０のスピーカＢＲおよびスピーカＢＬからの距離に応じて再生時間を補正し、必要に応じて経過時間ｔの開始を遅らせるとよい。例えば、追加のスピーカ２０と音源の移動先のスピーカＢＬとの間の距離が、スピーカＢＬと音源の移動元のスピーカＢＲとの間の距離の１／３である場合、再生時間を２Ｔ／３に補正し、且つ、経過時間ｔの開始をＴ/３だけ遅ら
せるとよい。
【０１２４】
（音響信号処理装置の動作例５）
チャンネル番号６の音響チャンネルに関する属性情報の１バイト目、２バイト目、３バイト目、及び４バイト目がそれぞれ“３”、“３”、“00000101”、“２０”であるようなメタ情報を取得した音響信号処理装置１０が、チャンネル番号６および他のチャンネル番号のチャンネルを用いて表現される移動音の音声出力を制御する動作について説明する。
【０１２５】
まず、デコーダ部１０１は、取得したメタ情報を制御部１０３に供給する。
【０１２６】
制御部１０３は、上記属性情報の１バイト目を参照すると、記憶部１０２の配置情報を参照することにより、追加のスピーカ２０が音響信号処理装置１０に接続されていることを検出する。そして、制御部１０３は、上記属性情報の２バイト目、および、３バイト目の下位６ビットを参照することにより、チャンネル番号５に対応するスピーカＢＬが音源の移動先のスピーカであることを特定し、上記属性情報の２バイト目および４バイト目を参照することにより、移動音の再生時間が２０×１００ミリ秒であることを特定する。更に、制御部１０３は、上記属性情報の２バイト目、および、３バイト目の上位２ビットを参照することにより、関数Ｌ（ｔ）として正弦関数を採用すべきであることを特定する。
【０１２７】
そして、制御部１０３は、動作例４と同様に、２つの可変ゲイン部１０４を制御する。
【０１２８】
以上のようにして、音源の移動元のスピーカＢＲの位置と音源の移動先のスピーカＢＬの位置との間に追加のスピーカ２０が配置されている場合、音響信号処理装置１０は、制作者の意図通りに、追加のスピーカ２０からも、移動音（チャンネル番号５およびチャンネル番号６に対応する音声）を出力する。
【０１２９】
（音響信号処理装置の動作例６）
チャンネル番号６の音響チャンネルに関する属性情報の１バイト目、２バイト目、３バイト目、及び４バイト目がそれぞれ“３”、“３”、“01000101”、“２０”であるようなメタ情報を取得した音響信号処理装置１０が、チャンネル番号６および他のチャンネル番号のチャンネルを用いて表現される移動音の音声出力を制御する動作について説明する。
【０１３０】
まず、デコーダ部１０１は、取得したメタ情報を制御部１０３に供給する。
【０１３１】
制御部１０３は、上記属性情報の１バイト目を参照すると、記憶部１０２の配置情報を参照することにより、追加のスピーカ２０が音響信号処理装置１０に接続されていることを検出する。そして、制御部１０３は、上記属性情報の２バイト目、および、３バイト目の下位６ビットを参照することにより、チャンネル番号５に対応するスピーカＢＬが音源の移動先のスピーカであることを特定し、上記属性情報の２バイト目および４バイト目を参照することにより、移動音の再生時間が２０×１００ミリ秒であることを特定する。更に、制御部１０３は、上記属性情報の２バイト目、および、３バイト目の上位２ビットを参照することにより、関数Ｌ（ｔ）として三角波関数を採用すべきであることを特定する。
【０１３２】
そして、制御部１０３は、追加のスピーカ２０に上記移動音を出力させるために、動作例３〜５と同様の２つの可変ゲイン部１０４を制御する。
【０１３３】
具体的には、制御部１０３は、上記２つの可変ゲイン部１０４の各々に対し、該可変ゲ
イン部１０４が出力する音声信号の信号レベルが経過時間ｔの関数Ｌ（ｔ）（０≦ｔ≦Ｔ）で表されるような信号レベルとなるように、該音声信号の信号レベルを調整させる。ここで、関数Ｌ（ｔ）は以下の各式により表されるが、以下の式において、Ｌhは、可変ゲ
イン部１０４に入力される音声信号の信号レベルの１／２であり、βはゲイン係数であり、Ｔは移動音の再生時間である。
【０１３４】
【数４】
2018125883.tif 000006
【０１３５】
【数５】
2018125883.tif 000007
【０１３６】
そして、制御部１０３は、移動音の再生時間が経過すると、上記２つの可変ゲイン部１０４の各々に対し、該可変ゲイン部１０４が出力する音声信号の信号レベルが０となるように、該音声信号の信号レベルを調整させる。
【０１３７】
以上のようにして、音源の移動元のスピーカＢＲの位置と音源の移動先のスピーカＢＬの位置との間に追加のスピーカ２０が配置されている場合、音響信号処理装置１０は、制作者の意図通りに、追加のスピーカ２０からも、移動音（チャンネル番号５およびチャンネル番号６に対応する音声）を出力する。
【０１３８】
（音響信号処理装置１０の利点）
以上のように、本実施形態に係る音響信号処理装置１０は、実施形態１に係る音響信号処理装置１０と同じように構成されている。
【０１３９】
そして、実施形態１におけるメタ情報と同様に、本実施形態におけるメタ情報は、標準的でない聴取環境（例えば、実施形態２のように、２２．２チャンネルに対応する２４個のスピーカに加え、追加のスピーカ２０が用意されている聴取環境）でマルチチャンネル音響信号が再生されることを想定したマルチチャンネル音響信号の制作者によって作成されるものである。
【０１４０】
従って、音響信号処理装置１０は、標準的でない視聴環境下において聴取者が高い臨場感を味わうことができるように、マルチチャンネル音声の出力を制御できる、と言える。
【０１４１】
〔実施形態３〕
以下、本発明の更に別の一実施形態に係る音響信号処理装置について説明する。なお、説明の便宜上、実施形態１にて説明した部材と同じ機能を有する部材については、基本的に、同じ符号を付記した上でその説明を省略する。
【０１４２】
実施形態１および２のメタ情報は、２２．２チャンネルの各チャンネルについて、対象チャンネルのスピーカがその標準位置に配置されていない聴取環境と、音響信号処理装置に接続された該スピーカが該標準位置に配置され、且つ、２４個のチャンネルに対応する２４個のスピーカ以外の追加のスピーカ２０が音響信号処理装置に接続されている聴取環境との両方における、対象チャンネルの音声を出力すべき対象スピーカを特定するための情報である。
【０１４３】
これに対し、本実施形態では、メタ情報は、２２．２チャンネルの各チャンネルについて、上記２種類の聴取環境のうちの一方（即ち、対象チャンネルのスピーカがその標準位置に配置されていない聴取環境）において、該チャンネルの音声を出力すべき対象スピーカを特定するための情報である。
【０１４４】
本実施形態に係る音響信号処理装置１０は、２２．２チャンネルに対応する２４個の音声出力端子を備えているが、追加のスピーカを接続するための音声出力端子は備えていない。
【０１４５】
そのため、制御部１０３は、各音響チャンネルのスピーカが標準位置に設置された状態で音響信号処理装置１０に接続されているか否かを検出するが、追加のスピーカが音響信号処理装置１０に接続されているか否かを検出するようになってはいない。また、制御部１０３は、追加のスピーカが音響信号処理装置１０に接続されていることを検出した場合に実施形態１、２に係る音響信号処理装置１０の制御部１０３が実行する処理も行わない。
【０１４６】
これらの点を除き、本実施形態に係る音響信号処理装置１０は、実施形態１に係る音響信号処理装置１０と同じように動作する。
【０１４７】
上記の構成によっても、音響信号処理装置１０は、標準的でない聴取環境下（具体的には、２２．２チャンネルに対応する２４個のスピーカのうち一部のスピーカが接続されていない聴取環境下）で聴取者が高い臨場感を味わうことができるように、マルチチャンネル音声の出力を制御できる。
【０１４８】
〔実施形態４〕
以下、本発明の更に別の一実施形態に係る音響信号処理装置について説明する。なお、説明の便宜上、実施形態１にて説明した部材と同じ機能を有する部材については、基本的に、同じ符号を付記した上でその説明を省略する。
【０１４９】
本実施形態では、メタ情報は、２２．２チャンネルの各チャンネルについて、対象チャンネルのスピーカの標準位置に音響信号処理装置１０に接続された該スピーカが配置され、且つ、２４個のチャンネルに対応する２４個のスピーカ以外の追加のスピーカ２０が音響信号処理装置１０に接続されている聴取環境において、対象チャンネルの音声を出力すべき対象スピーカを特定するための情報である。
【０１５０】
本実施形態に係る音響信号処理装置１０の制御部１０３は、追加のスピーカが音響信号処理装置１０に接続されているか否かを検出するが、各音響チャンネルのスピーカが標準位置に設置された状態で音響信号処理装置１０に接続されているか否かを検出するようになってはいない。
【０１５１】
また、制御部１０３は、一部のスピーカが音響信号処理装置１０に接続されていない（あるいは、一部のスピーカが標準位置に設置されていない）ことを検出した場合に実施形態１、２に係る音響信号処理装置１０の制御部１０３が実行する処理も行わない。
【０１５２】
これらの点を除き、本実施形態に係る音響信号処理装置１０は、実施形態２に係る音響信号処理装置１０と同じように動作する。
【０１５３】
上記の構成によっても、音響信号処理装置１０は、標準的でない聴取環境下（具体的には、２２．２チャンネルに対応する２４個のスピーカに加えて追加のスピーカ２０が接続されている聴取環境下）で聴取者が高い臨場感を味わうことができるように、マルチチャ
ンネル音声の出力を制御できる。
【０１５４】
（実施形態１〜４に関する付記事項１）
メタ情報は、ＭＰＥＧ−４ ＡＡＣのＰＣＥ（Program Configuration Element）に記述される形で、放送局から配信されてもよいし、ＭＰＥＧ−４ ＡＡＣのＤＳＥ（Data Stream Element）に記述される形で、放送局から配信されてもよい。
【０１５５】
また、メタ情報は、放送波に重畳されて配信されてもよいが、通信によりネットワークを通じて配信されてもよい。
【０１５６】
（実施形態１〜４に関する付記事項２）
音響信号処理装置１０は、ネットワークを介してサーバ（図示せず）にメタ情報および配置情報を送信する通信処理部（図示せず）を備えていてもよい。
【０１５７】
この場合、通信処理部からメタ情報および配置情報を受信したサーバは、メタ情報および配置情報を参照することにより、各チャンネルについて、対象チャンネルの音声を出力すべき対象スピーカを特定してもよい。
【０１５８】
更に、上記サーバは、メタ情報および配置情報を参照することにより、対象の可変ゲイン部１０４（対象チャンネルに対応する第１信号線と、対象スピーカが接続されている音声出力端子まで伸びている第２信号線とを結ぶ可変ゲイン部１０４）を調整するためのゲイン係数（例えば、ゲイン係数β）を生成してもよい。
【０１５９】
そして、上記サーバは、対象チャンネルの音声を出力すべき対象スピーカを特定するための情報、及び、対象の可変ゲイン部１０４を制御するためのゲイン係数を音響信号処理装置１０に送信してもよい。
【０１６０】
音響信号処理装置１０の制御部１０３は、受信した情報およびゲイン係数に基づき、対象の可変ゲイン部１０４を制御してもよい。即ち、制御部１０３は、該可変ゲイン部１０４に対し、該可変ゲイン部１０４が出力する音声信号の振幅が該可変ゲイン部１０４に入力される音声信号の振幅のゲイン係数倍になるように、該音声信号の信号レベルを調整させてもよい。
【０１６１】
（実施形態１〜４に関する付記事項３）
本発明に係る音声出力制御装置は、テレビに内蔵される形態（実施形態１〜４）に限定されない。
【０１６２】
例えば、マルチチャンネル音響信号とメタ情報とが記録された記録媒体（例えば、光ディスク）を再生するプレーヤであって音響信号処理装置１０と同様の特徴を備えたプレーヤも、本発明に係る音声出力制御装置の一例である。
【０１６３】
また、例えば、マルチチャンネル音響信号とメタ情報とを通信により取得し、取得したマルチチャンネル音響信号を再生するプレーヤであって、音響信号処理装置１０と同様の特徴を備えたプレーヤも、本発明に係る音声出力制御装置の一例である。
【０１６４】
また、実施形態１〜４の音響信号処理装置１０は、２２．２チャンネルに対応している音響信号処理装置であるが、これは、本発明に係る音声出力制御装置の一例に過ぎない。即ち、マルチチャンネル（例えば、２２チャンネル、１１．１チャンネル、７．１チャンネル、５．１チャンネル）に対応した音響信号処理装置であって、音響信号処理装置１０と同様の特徴を備えた音響信号処理装置は、本発明に係る音声出力制御装置の範囲に含ま
れる。
【０１６５】
〔ソフトウェアによる実現例〕
音響信号処理装置１０の制御ブロックは、集積回路（ＩＣチップ）等に形成された論理回路（ハードウェア）によって実現してもよいし、ＣＰＵ（Central Processing Unit）
を用いてソフトウェアによって実現してもよい。
【０１６６】
後者の場合、音響信号処理装置１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６７】
即ち、本発明の各態様に係る音声出力制御装置は、コンピュータによって実現してもよく、この場合には、コンピュータを上記音声出力制御装置が備える各手段として機能させることにより上記音声出力制御装置をコンピュータにて実現させるプログラム、およびそれを記録したコンピュータ読み取り可能な記録媒体も、本発明の範疇に入る。
【産業上の利用可能性】
【０１６８】
本発明は、三次元マルチチャンネル音響方式に対応する次世代テレビに好適に適用することができる。
【符号の説明】
【０１６９】
１０          音響信号処理装置（音声出力制御装置）
１０１          デコーダ部（取得手段）
１０２          記憶部
１０３          制御部（音声出力制御手段）
１０４          可変ゲイン部
１０５          メインアンプ部
ＦＬ          チャンネル番号１のスピーカ
ＦＲ          チャンネル番号２のスピーカ
ＦＣ          チャンネル番号３のスピーカ
ＢＬ          チャンネル番号５のスピーカ
ＢＲ          チャンネル番号６のスピーカ
ＴｐＦＲ      チャンネル番号１４のスピーカ
ＴｐＳｉＲ    チャンネル番号２０のスピーカ
２０          追加のスピーカ
【図１】
2018125883.tif 000008
【図２】
2018125883.tif 000009
【図３】
2018125883.tif 000010
【図４】
2018125883.tif 000011
【図５】
2018125883.tif 000012
【図６】
2018125883.tif 000013
【図７】
2018125883.tif 000014
【図８】
2018125883.tif 000015
【図９】
2018125883.tif 000016
【手続補正書】
【提出日】平成30年4月25日(2018.4.25)
【手続補正２】
【補正対象書類名】特許請求の範囲
【補正対象項目名】全文
【補正方法】変更
【補正の内容】
【特許請求の範囲】
【請求項１】
マルチチャンネル音響信号をメタ情報に基づいて処理する音響信号処理装置であって、
前記メタ情報は、スピーカの標準位置に対応する音響信号を、前記スピーカの標準位置とは異なる位置のスピーカで処理するための属性情報を含む音響信号処理装置。
【請求項２】
前記属性情報は、少なくとも１つのチャンネルのスピーカが標準位置に配置されていない聴取環境と、標準位置とは異なる位置に配置された追加のスピーカを有する聴取環境との一方または両方において、第１のチャンネルの音響を出力する対象スピーカを特定する情報を含む請求項１に記載の音響信号処理装置。
【請求項３】
前記少なくとも１つのチャンネルのスピーカが標準位置に配置されていない聴取環境において、
前記対象スピーカが、前記第１のチャンネルとは異なるチャンネルのスピーカである請求項２に記載の音響信号処理装置。
【請求項４】
前記属性情報は、前記音響信号の信号レベルを調整するためのゲイン係数を含む請求項３に記載の音響信号処理装置。
【請求項５】
前記対象スピーカは、特定のエリア内の全スピーカであり、
前記属性情報は、前記特定のエリアを規定する情報を含む請求項３に記載の音響信号処理装置。
【請求項６】
前記対象スピーカは、標準位置に配置された全スピーカであり、
前記属性情報は、前記全スピーカに前記第１のチャンネルの音響を出力させるべき旨の情報を含む請求項３に記載の音響信号処理装置。
【請求項７】
標準位置とは異なる位置に配置された追加のスピーカを有する聴取環境において、
前記音響が移動音を含み、前記移動音の音源の移動元のスピーカ及び移動先のスピーカの間に前記追加のスピーカが配置されている場合に、前記属性情報が前記追加のスピーカに前記移動音を出力させるための情報を含む請求項２に記載の音響信号処理装置。